(57)【特許請求の範囲】
【請求項１】
本体内に構成された収納室の前面開口を開閉自在に閉塞する内扉と、該内扉の外側において開閉自在とされた外扉とを備えたロッカーであって、
前記外扉の開放を禁止する施錠・解錠可能な施錠機構を備え、
該施錠機構は、前記内扉の開動作によっても解錠されることを特徴とするロッカー。
【請求項２】
前記施錠機構は、前記外扉に設けられた鍵受け部材と、前記本体に設けられ、前記鍵受け部材に対応する位置に配設されたロック装置と、前記本体に設けられ、前記内扉を閉じたときに当該内扉が当接して押圧される位置に配設された作用部材とから構成され、
前記ロック装置は、前記外扉が閉じられた場合に前記鍵受け部材に係合して施錠する鍵部材と、該鍵部材と前記鍵受け部材との係合を解いて解錠するための解錠操作部とを備え、当該解錠操作部が操作された場合又は所定の電気的信号が入力された場合に解錠状態とすると共に、
前記作用部材は、前記内扉により押圧されている状態では前記解錠操作部を操作せず、前記内扉が離間した場合に前記解錠操作部を操作することを特徴とする請求項１のロッカー。
【請求項３】
前記ロック装置の解錠操作部を外部から操作可能な押圧部材を備えたことを特徴とする請求項２のロッカー。
【請求項４】
前記押圧部材は、前記内扉を前記作用部材から離間させること無く、前記解錠操作部を操作することを特徴とする請求項３のロッカー。
【発明の詳細な説明】
【０００１】
【発明の属する技術分野】
本発明は、本体内に構成された収納室の前面開口を開閉自在に閉塞する内扉と、該内扉の外側において開閉自在とされた外扉とを備えたロッカーに関するものである。
【０００２】
【従来の技術】
近年のように共働き家庭が増えている状況では、宅配物の配送時に顧客が在宅していない場合が多く、そのため、特にマンションなどの集合住宅では、荷物預かり用のロッカーなどが、エントランスホールなどに設置されていることがある。
【０００３】
係るロッカーは、宅配業者が、施錠されていないロッカーに宅配物を収納し、扉を閉鎖することにより、自動的に施錠されるものである。そして、施錠時にロッカーに備え付けられたレシート発行部から発行されたレシートを顧客の郵便受けに入れ、係るレシートを受け取った顧客がロッカーにて、レシートに記載された暗証番号などを入力することにより、前記ロッカーが解錠されるものであった。
【０００４】
【発明が解決しようとする課題】
一方、近年物流業界は革新的に進展し、食品の宅配時にも冷蔵或いは冷凍したまま配送するまでに至っている。係る食品の低温配送時には、通常は発泡スチロールなどから成る断熱性の宅配箱内に食品を収納し、その状態で冷凍車或いは冷蔵車の荷室に収納して顧客宅まで配送される。
【０００５】
上述の如く近年のように共働き家庭が増えている状況では、前記ロッカーに収納された場合であっても、ロッカーは、温度管理が行われないため、比較的長時間宅配箱内に食品が放置されることになる。しかしながら、係る発泡スチロール製の宅配箱の保冷性能には限界があるため、配送時に顧客が在宅していて直ぐに家庭の冷蔵庫に移されれば良いものの、前述の如く長時間宅配箱が放置されるような場合には、その間に温度が上昇し、食品が劣化してしまう問題があった。
【０００６】
そこで、上述如きロッカーを冷蔵又は冷凍状態に温度管理し、宅配箱全体を保冷することが考えられるが、冷蔵又は冷凍温度に管理されたロッカー内に子供などが侵入し、施錠されてしまった場合、ロッカー内部に侵入した子供はロッカー内に閉じこめられ脱出できず、危険な状況を引き起こすという問題がある。
【０００７】
通常、ロッカーの施錠は、電子式のロック装置により行われているため、子供が内部に侵入し、閉じこめられた場合に停電等によりロッカーに電気の供給が行われないこととなると、通電開始まで、子供を救出できないという問題がある。
【０００８】
そこで、本発明は、技術的課題を解決するために成されたものであり、内扉を収納室側から開ける動作を行うことで外扉を解錠することができるロッカーを提供することを目的とする。
【０００９】
【課題を解決するための手段】
本発明は、本体内に構成された収納室の前面開口を開閉自在に閉塞する内扉と、該内扉の外側において開閉自在とされた外扉とを備えたロッカーであって、外扉の開放を禁止する施錠・解錠可能な施錠機構を備え、該施錠機構は、内扉の開動作によっても解錠されることを特徴とする。
【００１０】
本発明によれば、本体内に構成された収納室の前面開口を開閉自在に閉塞する内扉と、内扉の外側において開閉自在とされた外扉とを備えたロッカーにおいて、外扉の開放を禁止する施錠・解錠可能な施錠機構を備え、該施錠機構は、内扉の開動作によっても解錠されるので、外扉を閉じることで施錠される場合に、万一収納室内に閉じこめられた場合であっても、内扉を収納室側から開ける動作を行うことで外扉を解錠することができるようになる。そのため、収納室内の閉じこめを未然に回避することができ、安全にロッカーを使用することができるようになる。
【００１１】
請求項２の発明のロッカーは、請求項１の発明に加えて、施錠機構は、外扉に設けられた鍵受け部材と、本体に設けられ、鍵受け部材に対応する位置に配設されたロック装置と、本体に設けられ、内扉を閉じたときに当該内扉が当接して押圧される位置に配設された作用部材とから構成され、ロック装置は、外扉が閉じられた場合に鍵受け部材に係合して施錠する鍵部材と、該鍵部材と鍵受け部材との係合を解いて解錠するための解錠操作部とを備え、当該解錠操作部が操作された場合又は所定の電気的信号が入力された場合に解錠状態とすると共に、作用部材は、内扉により押圧されている状態では解錠操作部を操作せず、内扉が離間した場合に解錠操作部を操作することを特徴とする。
【００１２】
請求項２の発明によれば、請求項１の発明に加えて、施錠機構は、外扉に設けられた鍵受け部材と、本体に設けられ、鍵受け部材に対応する位置に配設されたロック装置と、本体に設けられ、内扉を閉じたときに当該内扉が当接して押圧される位置に配設された作用部材とから構成され、ロック装置は、外扉が閉じられた場合に鍵受け部材に係合して施錠する鍵部材と、該鍵部材と鍵受け部材との係合を解いて解錠するための解錠操作部とを備え、当該解錠操作部が操作された場合又は所定の電気的信号が入力された場合に解錠状態とすると共に、作用部材は、内扉により押圧されている状態では解錠操作部を操作せず、内扉が離間した場合に解錠操作部を操作するので、ロック装置は、外扉を閉じることにより施錠が行われ、電気的信号でも、内扉の開動作によっても解錠されることとなり、円滑な施錠・解錠動作を行うことができると共に、安全性を確保することができるようになる。
【００１３】
請求項３の発明のロッカーは、請求項２の発明に加えて、ロック装置の解錠操作部を外部から操作可能な押圧部材を備えたことを特徴とする。
【００１４】
請求項３の発明によれば、請求項２の発明に加えて、ロック装置の解錠操作部を外部から操作可能な押圧部材を備えたので、ロック装置に電気的信号を送れない場合であっても解錠することができるようになる。
【００１５】
請求項４の発明のロッカーは、請求項３の発明に加えて、押圧部材は、内扉を作用部材から離間させること無く、解錠操作部を操作することを特徴とする。
【００１６】
請求項４の発明のロッカーは、請求項３の発明に加えて、押圧部材は、内扉を作用部材から離間させること無く解錠操作部を操作するので、押圧部材による解錠操作が作用部材と内扉を離間させるように作用しないため、押圧部材の解錠操作を容易とすることができるようになる。
【００１７】
【発明の実施の形態】
本発明のロッカーは、特にマンションなどの集合住宅に設置される荷物預かり用のロッカーであり、宅配物の一時保管に用いられるものとする。以下、宅配物の一時保管用のロッカーとして説明するが、本発明は、これ以外に、スーパーマーケットなどの店舗やゴルフ場などに設置されるロッカーとしても用いることができるものとする。
【００１８】
本発明のロッカー１について図１乃至図３を参照して説明する。図１は本発明のロッカー１の斜視図、図２は外扉２及び内扉３を開放した状態のロッカー１の斜視図、図３は冷蔵収納室５又は８の断面図を示している。本発明のロッカー１は、前面に開口を有する鋼板製の箱体により本体４が構成され、この本体４内は図示しない仕切板により、上下に三段の収納室が形成される。上段に位置する収納室は、温度管理手段を何も設けない常温収納室であり、常温収納室の前面には、鋼板製の開閉扉６が回動自在に設けられる。
【００１９】
中段及び下段に位置する収納室は、詳細は後述する冷却装置により冷蔵温度に管理される中段冷蔵収納室８と下段冷蔵収納室５であり、この中段冷蔵収納室８及び下段冷蔵収納室５を構成する本体４内には、断熱性を有する発泡断熱材７が充填されており、外部からの熱の出入りを抑制している。尚、これ以外に、冷蔵収納室５又は８が位置する本体４内に断熱箱体を設けても良いものとする。
【００２０】
そして、これら中段冷蔵収納室８と下段冷蔵収納室５を形成する本体４の前面開口の内側縁部には、後方に所定寸法分、即ち内扉３の厚さ寸法分だけ凹陥した内扉収納部２０が形成される。この内扉収納部２０が形成される開口の一方の側部には、内扉３の側端に取り付けられるヒンジ部材２１が取り付けられ、回動自在に枢支される。また、この内扉３の後面には、外縁部に沿って密閉部材としてのパッキン２２が取り付けられ、該パッキン２２は、内扉収納部２０の前面と密着して冷蔵収納室５又は８内を密閉するものとする。
【００２１】
そして、内扉３の枢支側に位置する本体４の前面開口の前端には、ヒンジ部材２３により前方に回動自在に開閉可能とする外扉２が取り付けられる。そして、この外扉２の非枢支側の後面には、詳細は後述する施錠機構１５を構成する鍵受け部材２５が取り付けられる。また、外扉２の鍵受け部材２５に対応する位置の本体４の前面開口の前部には、同じく施錠機構１５を構成するロック装置２６が配設されている。これにより、外扉２は施錠機構１５により該外扉２の開放を禁止する施錠・解錠を可能とする。
【００２２】
また、下段冷蔵収納室５の下方には、図示しない機械室が形成されており、中段冷蔵収納室８及び下段冷蔵収納室５を所定温度に冷却するための冷却装置が設けられている。即ち、機械室内には、冷却装置を構成する圧縮機、凝縮器、凝縮器用送風機等が配設されていると共に、機械室上部には、中段冷蔵収納室及び下段冷蔵収納室５と連通して設けられる図示しない冷却室が形成されている。この冷却室内には、圧縮機と共に所謂冷凍サイクルを構成する冷却器と冷却器用送風機が配設されている。
【００２３】
また、この機械室の前面には、複数の通風孔１０を形成した機械室扉１１が回動自在に設けられており、この機械室扉１１には、施錠装置１２が設けられているものとする。
【００２４】
次に、図４及び図５を参照して本発明のロッカー１の施錠機構１５について説明する。図４は施錠時の施錠機構１５の縦断側面図、図５は解錠時の施錠機構１５の縦断側面図を示している。尚、図４における点線Ｌは、内扉３の後端位置を示すものである。
【００２５】
施錠機構１５は、前記鍵受け部材２５と、前記ロック装置２６と、作用部材２７とを備えている。前記鍵受け部材２５は、上述した如く外扉２の後面に設けられるものであり、後方に突出した環状部材により構成される。前記ロック装置２６は、所謂電子ロックであり、前記鍵受け部材２５に対応する位置の本体４に配設される。尚、鍵受け部材２５が挿入される位置に対応する本体４の前面には、鍵用開口３０が形成されている。
【００２６】
ロック装置２６の前部には、外扉２が閉じられた場合に鍵受け部材２５に係合して施錠する鍵部材２８が設けられる。この鍵部材２８は、解錠時において斜め前下方、即ち、鍵用開口３０に向けて開放する断面略Ｕ字状の係合部を有する回転部材であり、鍵受け部材２５が鍵部材２８に挿入され、係合されることにより、鍵部材２８が下方に回転し、鍵受け部材２５が設けられる外扉２の開放を禁止する施錠を行うものである。
【００２７】
ロック装置２６の下面には、上下に移動可能とする解錠操作部２９が設けられる。この解錠操作部２９は、鍵部材２８と鍵受け部材２５との係合を解いて解錠するためものであり、鍵部材２８が施錠された状態では、下方に移動、且つ下方に突出する。鍵部材２８が解錠された状態では、上方に移動、且つロック装置２６内に埋没される。
【００２８】
尚、このロック装置２６は、解錠操作部２９が操作、即ち、上方に移動された場合以外に、図示しないコントロールボックスが操作されることにより、所定の電気的信号が入力された場合にも解錠状態とするものとする。
【００２９】
前記作用部材２７は、第１回転部材３２と、第２回転部材３３と、弾性部材としてのスプリング３４とから構成される。第１回転部材３２は、板状部材により構成され、冷蔵収納室５又は８側の本体４の側壁前部であって、第１回転部材３２の下端がロック装置２の下面よりも少許下側に位置するように、前部下端を中心として係支部材４０により回転可能に取り付けられる。そして、この第１回転部材３２の上端は、少許後方に延在した後、端部が略直角に折曲して形成された押圧部３２Ａが形成される。この押圧部３２Ａは、内扉３を閉じたときに、該内扉３の後面が押圧部３２Ａの前面に当接して押圧されるものである。
【００３０】
また、この第１回転部材３２の押圧部３２Ａより少許前方には、スプリング３４の一端が取り付けられる。このスプリング３４の他端は、冷蔵収納室５又は８側の側壁前部に取り付けられ、第１回転部材３２が本体１の側壁前部側に位置するように付勢されているものとする。そのため、押圧部３２Ａを後方に押圧する内扉３が前方に離間する方向に移動することにより、第１回転部材３２は、前方に付勢されたスプリング３４により前方に回転される。
【００３１】
第２回転部材３３は、第１回転部材３２と同様に板状部材により構成されており、下端が後方に延出した断面略Ｌ字状を呈している。この第２回転部材３３は、下端前部を第１回転部材３２と共に係支部材４０により回転可能に取り付けられる。また、第２回転部材３３の下部後端は、上方に少許折曲した当接部３３Ａが形成されている。
【００３２】
この当接部３３Ａは前記解錠操作部２９の下面と当接して取り付けられると共に、第２回転部材３３の上端後面は、第１回転部材３２の押圧部３２Ａの前面に当接して取り付けられる。そのため、第２回転部材３３の上端が押圧部３２Ａにより前方に押圧されると第２回転部材３３が前方に回転し、当接部３３Ａが押し上げられ、これにより、解錠操作部２９を上方に押圧し、ロック装置２６が解錠されるものとする。尚、内扉３により第１回転部材３２の押圧部３２Ａが後方に押圧されている状態では、押圧部３２Ａが前方に移動し、第２回転部材３３を回転させ解錠操作部２９を操作しないものとする。
【００３３】
一方、解錠操作部２９の少許後方には、中段冷蔵収納室８から下段冷蔵収納室５及び機械室に渡って上下に延在する棒状の操作部材３５が設けられる。この操作部材３５は、ロック装置２６の解錠操作部２９の下面又は第２回転部材３３の下面に当接する押圧部材３６が設けられている。
【００３４】
そのため、機械室内から操作部材３５を上下に操作することにより、押圧部材３６により解錠操作部２９を上方に押し上げる操作を行うことができる構成とされる。
【００３５】
以上の構成により、本発明のロッカー１の使用形態について説明する。本実施例のロッカー１の如くマンションなどの集合住宅に設けられている場合、宅配業者は受取人が不在の荷物をロッカー１内に収納する。このとき、荷物が冷蔵温度での保冷を必要とする場合には、中段冷蔵収納室８又は下段冷蔵収納室５内に荷物を収納し、特に冷蔵を必要としない荷物の場合には、常温収納室に収納する。
【００３６】
常温収納室に荷物を収納した場合には、外扉６を閉鎖する。これにより自動的に、常温収納室の施錠が行われ、図示しないコントロールボックスより暗証番号等が記載されたレシートが発行される。
【００３７】
中段冷蔵収納室８又は下段冷蔵収納室５内に荷物を収納した場合には、外扉２を閉鎖することにより、外扉２の内側に設けられた内扉３も回動され、閉鎖される。そして、外扉２の後面に設けられた鍵受け部材２５が本体４内に設けられたロック装置２６の鍵部材２８と係合され、鍵部材２８が下方に回転することにより、自動的に施錠される。これにより、図示しないコントロールボックスより暗証番号等が記載されたレシートが発行される。
【００３８】
そして、上述の如く発行されたレシートを受取人の郵便受け等に入れておくことにより、受取人は、その後該レシートを受け取ることができる。レシートを受け取った受取人は、ロッカー１において該レシートに対応する収納室のロック装置２６に対し、レシートに記載された暗証番号等を図示しないコントロールボックスに入力することにより、所定の電気的信号がロック装置２６の送られ、該ロック装置２６が解錠される。これにより、外扉６又は２の開放が許容され、受取人は荷物を受け取ることができる。
【００３９】
本実施例におけるロッカー１は、外扉２が前方から押圧されることにより自動的に施錠される構成とされている。そのため、子供などが収容室内に閉じこめられてしまう危険性がある。本発明におけるロッカー１では、子供が収納室内に閉じこめられてしまった場合、図６に示す如く冷蔵収納室５又は８内から内扉３を開動作、即ち、前方に内扉３を押圧することにより、施錠機構１５のロック装置２６が解錠される。
【００４０】
即ち、内扉３が前方に、即ち、第１回転部材３２と離間する方向に押圧されることにより、第１回転部材３２の押圧部３２Ａがスプリング３４の付勢力により前方に移動され、第２回転部材３３の上端が押圧部３２Ａにより前方に押圧される。そして、第２回転部材３３が前方に回転し、当接部３３Ａが押し上げられ、これにより、解錠操作部２９を上方に押圧し、ロック装置２６が解錠される。
【００４１】
これにより、外扉２を閉じることで施錠される場合に、万一冷蔵収納室５又は８内に子供等が閉じこめられた場合であっても、内扉３を冷蔵収納室５又は８側から開ける動作を行うことで外扉２を解錠することができるようになる。そのため、冷蔵収納室５、８内の閉じこめを未然に回避することができ、安全にロッカー１を使用することができる。
【００４２】
また、ロック装置２６は、外扉２を閉じることにより施錠が行われ、電気的信号でも、内扉２の開動作によっても解錠されるため、円滑な施錠・解錠動作を行うことができると共に、安全性を確保することができる。
【００４３】
次に、停電等によりロック装置２６に電気が供給されない場合の解錠動作について説明する。この場合、機械室の施錠装置１２を開放し、機械室内より操作部材３５を上下に操作する。このとき、操作部材３５に設けられた押圧部材３６が解錠操作部２９の下面又は第２回転部材３３の下面を押圧することができ、解錠操作部２９を上方に押し上げることができる。
【００４４】
これにより、ロック装置２６に電気的信号を送れない停電等の非常事態であっても、容易に施錠機構１５の解錠を行うことができる。
【００４５】
また、内扉３を第１回転部材３２の押圧部３２Ａから離間させることなく、解錠操作部２９を操作した際に、押圧部材３６による解錠操作が、内扉３を第１回転部材３２の押圧部３２Ａから離間させるように作用しないため、押圧部材３６の解錠操作を容易とすることができるようになる。
【００４６】
【発明の効果】
以上詳述した如く本発明によれば、本体内に構成された収納室の前面開口を開閉自在に閉塞する内扉と、内扉の外側において開閉自在とされた外扉とを備えたロッカーにおいて、外扉の開放を禁止する施錠・解錠可能な施錠機構を備え、該施錠機構は、内扉の開動作によっても解錠されるので、外扉を閉じることで施錠される場合に、万一収納室内に閉じこめられた場合であっても、内扉を収納室側から開ける動作を行うことで外扉を解錠することができるようになる。そのため、収納室内の閉じこめを未然に回避することができ、安全にロッカーを使用することができるようになる。
【００４７】
請求項２の発明によれば、請求項１の発明に加えて、施錠機構は、外扉に設けられた鍵受け部材と、本体に設けられ、鍵受け部材に対応する位置に配設されたロック装置と、本体に設けられ、内扉を閉じたときに当該内扉が当接して押圧される位置に配設された作用部材とから構成され、ロック装置は、外扉が閉じられた場合に鍵受け部材に係合して施錠する鍵部材と、該鍵部材と鍵受け部材との係合を解いて解錠するための解錠操作部とを備え、当該解錠操作部が操作された場合又は所定の電気的信号が入力された場合に解錠状態とすると共に、作用部材は、内扉により押圧されている状態では解錠操作部を操作せず、内扉が離間した場合に解錠操作部を操作するので、ロック装置は、外扉を閉じることにより施錠が行われ、電気的信号でも、内扉の開動作によっても解錠されることとなり、円滑な施錠・解錠動作を行うことができると共に、安全性を確保することができるようになる。
【００４８】
請求項３の発明によれば、請求項２の発明に加えて、ロック装置の解錠操作部を外部から操作可能な押圧部材を備えたので、ロック装置に電気的信号を送れない場合であっても解錠することができるようになる。
【００４９】
請求項４の発明のロッカーは、請求項３の発明に加えて、押圧部材は、内扉を作用部材から離間させること無く解錠操作部を操作するので、押圧部材による解錠操作が作用部材と内扉を離間させるように作用しないため、押圧部材の解錠操作を容易とすることができるようになる。
【図面の簡単な説明】
【図１】本発明のロッカーの斜視図である。
【図２】外扉及び内扉を開放した状態のロッカーの斜視図である。
【図３】冷蔵収納室の断面図である。
【図４】施錠時の施錠機構の縦断側面図である。
【図５】解錠時の施錠機構の縦断側面図である。
【図６】解錠時の冷蔵収納室の断面図である。
【符号の説明】
１  ロッカー
２  外扉
３  内扉
４  本体
５、８  冷蔵収納室
６  開閉扉
１５  施錠機構
２５  鍵受け部材
２６  ロック装置
２７  作用部材
２８  鍵部材
２９  解錠操作部
３２  第１回転部材
３２Ａ  押圧部
３３  第２回転部材
３３Ａ  当接部
３４  スプリング
３５  操作部材
４０  係支部材
【図１】
0004727101.tif 000002
【図２】
0004727101.tif 000003
【図３】
0004727101.tif 000004
【図４】
0004727101.tif 000005
【図５】
0004727101.tif 000006
【図６】
0004727101.tif 000007